(57)【特許請求の範囲】
【請求項１】
ネットワーク上の複数のフレーム伝送装置を通してユーザＭＡＣフレームを伝送するフレーム伝送システムであって；
伝送経路を検知したいユーザＭＡＣフレーム中のＭＡＣ宛先アドレスをターゲットＭＡＣアドレスとして含むとともに、前記ユーザＭＡＣフレーム中のＭＡＣヘッダ情報及び上位レイヤのヘッダ情報の双方をターゲットフレームヘッダ情報として含む要求フレームを生成して送信する第１のフレーム伝送装置と；
受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と、
特定された前記出力先物理リンクに関する情報と、応答ノードＭＡＣアドレスとしての自装置のＭＡＣアドレスとを含む応答フレームを要求ノードとしての前記第１のフレーム伝送装置に返送するために生成する生成部と、を含む第２のフレーム伝送装置と；
を備えるフレーム伝送システム。
【請求項２】
伝送経路を検知したいユーザＭＡＣフレーム中のＭＡＣ宛先アドレスをターゲットＭＡＣアドレスとして含むとともに、前記ユーザＭＡＣフレーム中のＭＡＣヘッダ情報及び上位レイヤのヘッダ情報の双方をターゲットフレームヘッダ情報として含む要求フレームを受信する受信部と；
受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と；
特定された前記出力先物理リンクに関する情報と、応答ノードＭＡＣアドレスとしての自装置のＭＡＣアドレスとを含む応答フレームを要求ノードに返送するために生成する生成部と；
を備えるフレーム伝送装置。
【請求項３】
ネットワーク上の複数のフレーム伝送装置を通してユーザＭＡＣフレーム及び伝送品質監視フレームを伝送するフレーム伝送システムであって；
伝送品質を監視したいユーザＭＡＣフレーム中のＭＡＣ宛先アドレスをターゲットＭＡＣアドレスとして含み、前記ユーザＭＡＣフレーム中のＭＡＣヘッダ情報及び上位レイヤのヘッダ情報の双方をターゲットフレームヘッダ情報として含むとともに、前記ユーザＭＡＣフレームの伝送品質を監視するために利用される伝送品質監視フレーム中のＭＡＣヘッダ情報及び伝送品質監視用データを監視フレームヘッダ情報として含む要求フレームを生成して送信する第１のフレーム伝送装置と；
受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と、
特定された前記出力先物理リンクに関する情報及び前記監視フレームヘッダ情報に基づいて、前記ユーザＭＡＣフレーム及び前記伝送品質監視フレームの双方を前記出力先物理リンクに対応する同一物理リンクに出力するための負荷分散ルールを送信部に追加設定する制御部と、
特定された前記出力先物理リンクに関する情報と、応答ノードＭＡＣアドレスとしての自装置のＭＡＣアドレスとを含む応答フレームを要求ノードとしての前記第１のフレーム伝送装置に返送するために生成する生成部と、を含む第２のフレーム伝送装置と；
を備えるフレーム伝送システム。
【請求項４】
伝送品質を監視したいユーザＭＡＣフレーム中のＭＡＣ宛先アドレスをターゲットＭＡＣアドレスとして含み、前記ユーザＭＡＣフレーム中のＭＡＣヘッダ情報及び上位レイヤのヘッダ情報の双方をターゲットフレームヘッダ情報として含むとともに、前記ユーザＭＡＣフレームの伝送品質を監視するために利用される伝送品質監視フレーム中のＭＡＣヘッダ情報及び伝送品質監視用データを監視フレームヘッダ情報として含む要求フレームを受信する受信部と；
受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と；
特定された前記出力先物理リンクに関する情報及び前記監視フレームヘッダ情報に基づいて、前記ユーザＭＡＣフレーム及び前記伝送品質監視フレームの双方を前記出力先物理リンクに対応する同一物理リンクに出力するための負荷分散ルールを送信部に追加設定する制御部と；
特定された前記出力先物理リンクに関する情報と、応答ノードＭＡＣアドレスとしての自装置のＭＡＣアドレスとを含む応答フレームを要求ノードに返送するために生成する生成部と；
を備えるフレーム伝送装置。
【請求項５】
前記第２のフレーム伝送装置は、前記特定部と同一アルゴリズムにより前記出力先物理リンクと同一の物理リンクを選択し、前記ユーザＭＡＣフレーム及び前記要求フレームを送出する送信部を更に備える
請求項１記載のフレーム伝送システム。
【発明の詳細な説明】
【技術分野】
【０００１】
本発明は、ユーザＭＡＣ（Medium Access Control）フレームを伝送するフレーム伝送
システムに関する。
【背景技術】
【０００２】
近年、イーサネット（Ethernet：登録商標）は、ＬＡＮ（Local Area Network）のみならず、伝送対象データをパケット形態で伝送するパケット網を支えるインフラ技術としてのキャリア網においても利用されている。イーサネットは、データ通信のみではなく、同期メッセージ、音声、及び動画などの伝送遅延及び伝送途中でのデータのロスについて敏感な通信にも利用されるようになり、高精度なサービス品質（ＱｏＳ：Quality of Service）の監視の提供、及び高度な障害切り分け機能が必要となっている。
【０００３】
イーサネットの伝送路に対して、このようなサービス品質の監視及び障害切り分けを提供するための技術として、ＩＴＵ−Ｔ（International Telecommunication Union Telecommunication Standardization Sector）勧告Ｙ．１７３１の中で規定されているＯＡＭ（Operation Administration and Maintenance）機能のセットがある。このＯＡＭ機能のセットには、接続性の監視、伝送経路の確認、障害の通知、及び伝送遅延またはフレームロスの監視など多くの機能が含まれている。
【先行技術文献】
【非特許文献】
【０００４】
【非特許文献１】ＩＴＵ−Ｔ勧告Ｙ．１７３１（２００８．２）
【非特許文献２】ＩＥＥＥ標準８０２．１ＡＸ（２００８．１１．３）
【発明の概要】
【発明が解決しようとする課題】
【０００５】
図１は、ＯＡＭ機能のセットの中のリンクトレース（Ｅｔｈ−ＬＴ）機能の動作の様子を示している。図１を参照して、装置ＢのＭＡＣアドレスを宛先アドレスとして含むようなイーサネットフレームについて、装置Ｃからの伝送経路をトレースする場合を説明する。ここで、イーサネット網ＮＷ１に収容されている装置Ａ，Ｂ，Ｃはユーザ端末またはキャリア（通信事業者）のエッジ装置（レイヤ２（Ｌ２）スイッチ）などであり、イーサネット網ＮＷ１上の装置Ｄ，Ｅ，ＦはＬ２スイッチなどである。
【０００６】
まず、装置Ｃは、対象（ターゲット）ＭＡＣアドレス（Target MAC Address）として、装置ＢのＭＡＣアドレスをペイロードに含むリンクトレース要求（ＬＴＭ）フレームを生成する。このＬＴＭフレームのＭＡＣヘッダ中のＭＡＣ宛先アドレスはリンクトレース要求のために特別に設定されたマルチキャストアドレスであり、リンクトレース機能を提供する各装置がＬＴＭフレームを受信して処理する。
【０００７】
装置Ｄは、このＬＴＭフレームを受信すると、このフレームの中から対象ＭＡＣアドレスを取り出し、フォワーディングテーブルを確認する。そして、装置Ｄは、宛先アドレスＢを含むフレームを装置Ｅに向けて送信すべきことを認識すると、ＬＴＭフレームを装置Ｅに転送（フォワーディング）する。
【０００８】
また、装置Ｄは、同時にＬＴＭフレームが装置Ｄを通過したことを装置Ｃに通知するために、応答ノードのＭＡＣアドレスとして装置ＤのＭＡＣアドレスをペイロードに含むリンクトレース応答（ＬＴＲ）フレームを装置Ｃに対して送り返す。他の装置Ｅ，Ｆは装置
Ｄと同様の処理を順次に行う。
【０００９】
ＬＴＭフレームが装置Ｂに到達すると、装置Ｂは応答ノードのＭＡＣアドレスとして装置ＢのＭＡＣアドレスを含むＬＴＲフレームを装置Ｃに対して送り返す。これらの処理の結果、装置Ｃには、装置ＢのＭＡＣアドレスを宛先アドレスとして含むフレームの伝送経路情報として、装置Ｄ、装置Ｅ、装置Ｆ、及び装置ＢのＭＡＣアドレスが収集される。
【００１０】
このように、Ｅｔｈ−ＬＴ機能では、トレース対象フレームが通過する装置のＭＡＣアドレス情報を収集することができる。したがって、Ｅｔｈ−ＬＴ機能は、サービストラフィックに障害が起こった際に、サービストラフィックの伝送経路を確認するような用途に利用される。
【００１１】
図２は、ＯＡＭ機能のセット中の片道（片方向）の遅延測定（１ｗａｙ  Ｅｔｈ−ＤＭ：One-way Delay Measurement）機能の動作の様子を示している。図２では、イーサネッ
ト網ＮＷ２を介して装置Ｇから装置Ｈに向かうトラフィックについて、装置Ｇ及び装置Ｈ間の伝送遅延を測定する様子を示している。ここで、イーサネット網ＮＷ２に収容されている装置Ｇ及び装置Ｈは、ユーザ端末またはキャリアのＬ２スイッチなどである。
【００１２】
装置Ｇ及び装置Ｈは、伝送遅延を測定するに先立って、装置内時計の時刻を同期させておく必要がある。この時刻同期は、装置Ｇ，ＨのそれぞれにＧＰＳ（Global Positioning
System）受信機を接続して、正確な時刻を供給するなどの方法で実現される。
【００１３】
装置Ｇは、この時刻同期確立状態で、装置Ｈに向けて１ＤＭと呼ばれる測定フレームを送出する。この１ＤＭフレームの中には、フレームの送出時刻ｔ１を示すタイムスタンプが含まれている。装置Ｈは、この１ＤＭフレームを受信すると、受信時刻ｔ２を記録し、受信したフレームの中に含まれている送出時刻ｔ１と記録した受信時刻ｔ２との差分から、伝送遅延を求めることができる。特定のサービストラフィックに沿って、伝送遅延を測定することにより、サービストラフィックの伝送品質監視を行うような用途に利用される。
【００１４】
上述したＥｔｈ−ＬＴでは、対象ＭＡＣアドレスに向かうＬＴＭフレームが通過する伝送経路上の装置を知ることができるが、例えば装置間にＩＥＥＥ（Institute of Electrical and Electronics Engineers）標準８０２．１ＡＸで規定されたリンクアグリゲーシ
ョン（ＬＡ：Link Aggregation）技術が利用されている場合に、サービスフレームが通過する物理リンクを知ることができない。続いて、図３を参照して、この問題について詳述する。
【００１５】
図３は、リンクアグリゲーションの動作の概要を示す。イーサネット網（図示省略）上の装置Ｉ及び装置Ｊ間の物理リンク＃２，＃３は、ＬＡ技術により１つのリンクアグリゲーショングループ（ＬＡＧ：Link Aggregation Group）を構成しており、論理的に１つのリンクとして利用される。
【００１６】
ここでは、物理リンク＃１上で装置Ｉによって受信されたフレームが、物理リンク＃２，＃３から形成されるＬＡＧに転送される場合を考える。装置Ｉでは、物理リンク＃１上で受信されたフレームがＬＡＧに向かって転送されることが分かると、負荷分散部はフレームをＬＡＧのどの物理リンクに送出するのかを決める。送出する物理リンクが決定されると、フレームはその物理リンクから送出される。
【００１７】
ＬＡＧを含む伝送経路構成に対してＥｔｈ−ＬＴを適用した場合、Ｅｔｈ−ＬＴは、上述したように通過する装置のＭＡＣアドレスを収集するので、装置Ｉ及び装置Ｊを通過す
ることは分かる。しかし、通常、Ｅｔｈ−ＬＴでは、オペレータであるＯＡＭ操作者がトレースしたいと考える通信のフレームが物理リンク＃２及び物理リンク＃３のいずれを通過したのかを知ることができない。例えば、物理リンク＃２の伝送品質が劣化した場合に、どの通信が影響を受けているのかが分からなくなることを免れない。
【００１８】
さらに、図４を参照して、特定のユーザの通信に対する伝送品質を監視するために、片道遅延測定が利用された場合を考える。
【００１９】
物理リンク＃１上で装置Ｉによって受信されたフレームは、ＬＡＧに対して転送されることが分かると、上述したように、負荷分散部でどの物理リンクに出力されるのかが決定される。このとき、ユーザフレーム（ユーザ通信フレームまたはユーザＭＡＣフレーム）及び１ＤＭフレームが別々の物理リンクに振り分けられることがありうる。
【００２０】
これは負荷分散部の具体的な処理内容に起因する。負荷分散部の具体的な処理内容はＩＥＥＥ標準８０２．１ＡＸの中では規定されていない。しかし、一般にフレームのＭＡＣヘッダの内容、あるいはペイロードの中に含まれる上位レイヤプロトコルのヘッダの内容を基にハッシュ計算を行い、得られたハッシュ値から出力先の物理リンクを決定する場合が多い。これは、ある特定の送信端から別の特定の受信端に送られる情報の列が、１つの物理リンク上で伝送されるようにすることにより、このような情報の列に対して順序逆転が起こらないようにするためである。
【００２１】
ユーザフレームは、あるユーザ拠点に存在する装置から別のユーザ拠点に存在する別の装置に向かうようなフレームであるので、ヘッダ情報もあるユーザ拠点の装置から別のユーザ拠点の別の装置に向かうような情報を含む。一方、１ＤＭフレームは、伝送遅延を監視したい区間の一方の端から他方の端まで伝送されるフレームであり、例えばキャリア網のｅｄｇｅ−ｅｄｇｅでの品質保証などに使われる場合には、ユーザフレームとは異なるヘッダ情報を含む。このため、ユーザフレーム及び１ＤＭフレームは、異なる物理リンク上で伝送される可能性があり、伝送品質を監視したいユーザの通信の伝送品質を正確に測定することができなくなってしまう恐れがある。
【００２２】
課題は、複数の物理リンクを含むリンクアグリゲーショングループが構成されているときに、ユーザ通信フレームの伝送経路を正確に検知することを可能にする技術を提供することにある。
【００２３】
他の課題は、複数の物理リンクを含むリンクアグリゲーショングループが構成されているときに、伝送品質を監視したいユーザ通信フレームと、伝送品質を監視するための監視フレームとが、同一物理リンクを通過することを可能にする技術を提供することにある。
【課題を解決するための手段】
【００２４】
上記課題を解決するために、フレーム伝送システムは、ネットワーク上の複数のフレーム伝送装置を通してユーザＭＡＣフレームを伝送するフレーム伝送システムであって；伝送経路を検知したいユーザＭＡＣフレーム中のＭＡＣ宛先アドレスをターゲットＭＡＣアドレスとして含むとともに、前記ユーザＭＡＣフレーム中のＭＡＣヘッダ情報及び上位レイヤのヘッダ情報の双方をターゲットフレームヘッダ情報として含む要求フレームを生成して送信する第１のフレーム伝送装置と；受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と、特定された前記出力先物理リンクに関する情報と、応答ノードＭＡＣアドレスとしての自装置のＭＡＣアドレスとを含む応答フレームを要求ノードとしての前記第１のフレーム伝送装置に返送するた
めに生成する生成部と、を含む第２のフレーム伝送装置と；を備える。
【００２５】
また、フレーム伝送システムは、ネットワーク上の複数のフレーム伝送装置を通してユーザＭＡＣフレーム及び伝送品質監視フレームを伝送するフレーム伝送システムであって；伝送品質を監視したいユーザＭＡＣフレーム中のＭＡＣ宛先アドレスをターゲットＭＡＣアドレスとして含み、前記ユーザＭＡＣフレーム中のＭＡＣヘッダ情報及び上位レイヤのヘッダ情報の双方をターゲットフレームヘッダ情報として含むとともに、前記ユーザＭＡＣフレームの伝送品質を監視するために利用される伝送品質監視フレーム中のＭＡＣヘッダ情報及び伝送品質監視用データを監視フレームヘッダ情報として含む要求フレームを生成して送信する第１のフレーム伝送装置と；受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と、特定された前記出力先物理リンクに関する情報及び前記監視フレームヘッダ情報に基づいて、前記ユーザＭＡＣフレーム及び前記伝送品質監視フレームの双方を前記出力先物理リンクに対応する同一物理リンクに出力するための負荷分散ルールを送信部に追加設定する制御部と、特定された前記出力先物理リンクに関する情報と、応答ノードＭＡＣアドレスとしての自装置のＭＡＣアドレスとを含む応答フレームを要求ノードとしての前記第１のフレーム伝送装置に返送するために生成する生成部と、を含む第２のフレーム伝送装置と；を備える。
【発明の効果】
【００２６】
開示したフレーム伝送システムによれば、複数の物理リンクを含むリンクアグリゲーショングループが構成されているときであっても、サービストラフィック対応のユーザ通信フレーム（ユーザＭＡＣフレーム）の伝送経路を正確に検知することができる。
【００２７】
また、開示したフレーム伝送システムによれば、複数の物理リンクを含むリンクアグリゲーショングループが構成されているときであっても、伝送品質を監視したいサービストラフィック対応のユーザ通信フレームと、伝送品質を監視するための監視フレームとが、リンクアグリゲーショングループの同一物理リンクを通過するように制御することができる。
【００２８】
他の課題、特徴及び利点は、図面及び特許請求の範囲とともに取り上げられる際に、以下に記載される発明を実施するための形態を読むことにより明らかになるであろう。
【図面の簡単な説明】
【００２９】
【図１】リンクトレース（Ｅｔｈ−ＬＴ）機能の動作例を説明するための図。
【図２】片道遅延測定（１−ｗａｙ  Ｅｔｈ−ＤＭ）機能の動作例を説明するための図。
【図３】リンクアグリゲーションを説明するための図。
【図４】リンクアグリゲーションと片道遅延測定との関係を説明するための図。
【図５】第１及び第２の実施の形態のフレーム伝送システムの構成を示すブロック図。
【図６】第１及び第２の実施の形態におけるＬＴＭフレーム及びＬＴＲフレームの構成を示す図。
【図７】第１の実施の形態におけるリンクトレース対象フレームとＬＴＭフレームとの関係を説明するための図。
【図８】第１の実施の形態におけるキャリア伝送装置（＃１）の構成を示すブロック図。
【図９】第１の実施の形態におけるキャリア伝送装置（＃２）の構成を示すブロック図。
【図１０】第２の実施の形態における遅延監視対象フレームと遅延監視フレームとＬＴＭフレームとの関係を説明するための図。
【図１１】第２の実施の形態におけるキャリア伝送装置（＃１）の構成を示すブロック図。
【図１２】第２の実施の形態におけるキャリア伝送装置（＃２）の構成を示すブロック図。
【図１３】第２の実施の形態におけるキャリア伝送装置（＃２）の負荷分散部の負荷分散ルールを説明するための図。
【発明を実施するための形態】
【００３０】
以下、添付図面を参照して、さらに詳細に説明する。図面には好ましい実施形態が示されている。しかし、多くの異なる形態で実施されることが可能であり、本明細書に記載される実施形態に限定されない。
【００３１】
［第１の実施の形態］
第１の実施の形態のシステム構成例を示す図５を参照すると、フレーム伝送システムＳＹＳにおいては、キャリアによって運用されるキャリア網ＮＷに４個のキャリア伝送装置（＃１，＃２，＃３，＃４）１０，２０，３０，４０が配置されている。このキャリア網ＮＷには、ユーザ端末としてのユーザ装置（Ａ，Ｂ）５０，６０が収容されている。ここで、キャリア網ＮＷはイーサネット網であり、キャリア伝送装置１０，２０，３０，４０はレイヤ２（Ｌ２）スイッチなどのフレーム伝送装置である。
【００３２】
キャリア伝送装置１０，２０，３０，４０は、６本の物理リンク（＃１，＃２，＃３，＃４，＃５，＃６）ＰＬ１，ＰＬ２，ＰＬ３，ＰＬ４，ＰＬ５，ＰＬ６を通して、ユーザ装置（Ａ）５０とユーザ装置（Ｂ）６０との間を流れるサービストラフィック対応のユーザ通信フレームを伝送（転送、交換を含む）する。キャリア伝送装置（＃２）２０及びキャリア伝送装置（＃３）３０間は、リンクアグリゲーショングループ（ＬＡＧ）を構成する物理リンク（＃３）ＰＬ３及び物理リンク（＃４）ＰＬ４の２本の物理リンクで接続されている。各物理リンクＰＬ１〜ＰＬ６は双方向伝送路を構成する。
【００３３】
上述した構成を採るフレーム伝送システムＳＹＳにおいて、各キャリア伝送装置は、特定のユーザ通信フレームが通過する伝送経路対応の物理リンクについての情報を正確に知るために、図６に示すフォーマットのリンクトレース要求（ＬＴＭ）フレームを送信の必要性に応じて生成する。生成されるＬＴＭフレームは上記ＩＴＵ−Ｔ勧告において規定されているリンクトレース要求フレームの拡張形態を採っている。
【００３４】
このＬＴＭフレームは、ＭＡＣヘッダに続くペイロード中に、対象（ターゲット）ＭＡＣアドレス（Target MAC Address）だけではなく、リンクトレース対象のユーザ通信フレーム（リンクトレース対象フレーム）のＭＡＣヘッダ情報及び上位レイヤのヘッダ情報の双方、つまりトレース対象フレームヘッダ情報を含む（詳細は、図７参照）。
【００３５】
これらの情報を含むＬＴＭフレームを受信したキャリア伝送装置（ここでは、キャリア伝送装置（＃２）２０）は、対象ＭＡＣアドレス情報とフォワーディングテーブルの内容とに基づいて、ＭＡＣヘッダに対象ＭＡＣアドレス対応のＭＡＣ宛先アドレス（ＭＡＣ  ＤＡ：MAC Destination Address）を含むリンクトレース対象フレームのユーザ通信フレ
ームがＬＡＧに対して転送されることを知り得る。
【００３６】
これにより、このキャリア伝送装置は、ＬＴＭフレームからトレース対象フレームヘッダ情報を取り出し、自装置の負荷分散部で利用されていると同じ処理手順（アルゴリズム）により、ＬＡＧから１本の出力先物理リンクを特定する。
【００３７】
このキャリア伝送装置が、特定した出力先物理リンクを示す識別子（出力物理リンク識別子）をリンクトレース応答（ＬＴＲ）フレームのペイロード中に、応答ノードＭＡＣアドレスとともに含めて返送することにより、リンクトレース要求元ノードのキャリア伝送装置（ここでは、キャリア伝送装置（＃１）１０）は、ＬＴＲフレームに基づいて、リンクトレース対象のユーザ通信フレームがどの物理リンクを通るのかを検知することができる。このＬＴＲフレームは上記ＩＴＵ−Ｔ勧告において規定されているリンクトレース応答フレームの拡張形態を採っている。
【００３８】
上述したように、図６に示すＬＴＭフレーム及びＬＴＲフレームのフォーマットにおいて、トレース対象フレームヘッダ情報及び出力物理リンク識別子を含む追加部分ＡＰ１は、特定のユーザ通信フレームが通過する伝送経路対応の物理リンクについての情報を正確に検知するために必要な追加情報である。
【００３９】
なお、図６に示すＬＴＭフレームのフォーマットにおいて、対応する監視フレームヘッダ情報を含む追加部分ＡＰ２は、特定のユーザ通信フレーム及び監視フレームが同じ伝送経路を通るようにするために、追加部分ＡＰ１に加えて更に追加することが必要な追加情報である。これについては、第２の実施の形態のフレーム伝送システムＳＹＳにおいて詳細に説明する。
【００４０】
この第１の実施の形態のフレーム伝送システムＳＹＳにおいては、ユーザ装置（Ａ）５０を利用するユーザからの通信障害調査依頼に応じて、キャリア網ＮＷ内でのサービストラフィック対応のユーザ通信フレームの伝送経路を調べるために、キャリア伝送装置（＃１）１０からＬＴＭフレームが送出される場合を考える。
【００４１】
図８は、図５に示すフレーム伝送システムＳＹＳにおけるキャリア網ＮＷの入口エッジノード対応のキャリア伝送装置（＃１）１０の詳細構成を示す。
【００４２】
このキャリア伝送装置１０は、物理リンクＰＬ１を介してユーザ装置（Ａ）５０に接続され、かつ物理リンクＰＬ２を介してキャリア伝送装置（＃２）２０に接続され、アドレス入力部１１、ヘッダ情報入力部１２、ＬＴＭフレーム生成部１３、転送処理部１４、フォワーディングテーブル１５、及び多重化部１６を備える。
【００４３】
フレーム伝送システムＳＹＳに対する外部（ここでは、ＯＡＭ操作者）からの指示を契機に、キャリア伝送装置１０においては、ユーザ装置（Ａ）５０からユーザ装置（Ｂ）６０に向かうサービストラフィックのキャリア網ＮＷ内での伝送経路を調べるために、ＬＴＭフレーム生成部１３が起動される。
【００４４】
通常、ユーザ装置５０から受信し、転送処理部１４を介して転送されるリンクトレース対象のユーザ通信フレーム、つまりリンクトレース対象フレームは、図７に示すように、ＭＡＣヘッダにＭＡＣ宛先アドレス（ＭＡＣ  ＤＡ）及びＭＡＣ送信元アドレス（ＭＡＣ
ＳＡ：MAC Source Address）などのＭＡＣヘッダ情報を含む。ここでは、ＭＡＣ宛先アドレスには、ユーザ装置６０のＭＡＣアドレスＢが設定され、ＭＡＣ送信元アドレスには、ユーザ装置５０のＭＡＣアドレスＡが設定されている。また、リンクトレース対象フレームは、ＭＡＣヘッダに続くペイロードに上位レイヤのヘッダ情報（例えば、ＩＰ（Internet Protocol）ヘッダ情報）を含む。
【００４５】
起動されたＬＴＭフレーム生成部１３は、アドレス入力部１１及びヘッダ情報入力部１２と協働し、図７に示すリンクトレース要求のＬＴＭフレームを生成する。つまり、アドレス入力部１１は、ＯＡＭ操作者から入力されたリンクトレース対象フレーム対応のＭＡ
Ｃ宛先アドレスＢをＬＴＭフレームの対象ＭＡＣアドレスとして、ＬＴＭフレーム生成部１３に入力する。また、ヘッダ情報入力部１２は、ＯＡＭ操作者から入力されたリンクトレース対象フレーム対応のＭＡＣヘッダ情報及び上位レイヤのヘッダ情報を含む先頭から固定長（例えば、６０バイト程度）のヘッダ情報をＬＴＭフレームのトレース対象フレームヘッダ情報として、ＬＴＭフレーム生成部１３に入力する。
【００４６】
ＬＴＭフレーム生成部１３は、アドレス入力部１１からの対象ＭＡＣアドレスと、ヘッダ情報入力部１２からのトレース対象フレームヘッダ情報とをペイロードの所定フィールドに格納し、ＭＡＣ宛先アドレス及びＭＡＣ送信元アドレスをＭＡＣヘッダに含むＬＴＭフレームを生成する。ここで、ＬＴＭフレームにおけるＭＡＣヘッダのＭＡＣ宛先アドレスはリンクトレース要求のための特別設定のマルチキャストアドレスであり、ＭＡＣ送信元アドレスはキャリア伝送装置１０のＭＡＣアドレスである。
【００４７】
ＬＴＭフレーム生成部１３は、転送処理部１４のフォワーディングテーブル１５を参照して、この対象ＭＡＣアドレス対応の出力先の物理リンクを特定し、特定した物理リンク（ここでは、物理リンクＰＬ２）にＬＴＭフレームを多重化部１６を介して送出する。多重化部１６は、ＬＴＭフレーム生成部１３からのＬＴＭフレームと、転送処理部１４からのユーザ通信フレームとを多重化する。
【００４８】
キャリア伝送装置１０においては、ＬＴＭフレームの送信先（転送先）である次段ノード以降のキャリア伝送装置２０，３０，４０からリンクトレース応答のＬＴＲフレームが返送されたとき、転送処理部１４は、ユーザ装置（Ｂ）６０のＭＡＣアドレスをＭＡＣ宛先アドレスとして含むリンクトレース対象のユーザ通信フレームの伝送経路情報として、キャリア伝送装置２０，３０，４０のＭＡＣアドレス及びＬＡＧの出力物理リンク識別子を収集可能である。
【００４９】
図９は、図５に示すフレーム伝送システムＳＹＳにおけるキャリア網ＮＷの中継ノード対応のキャリア伝送装置（＃２）２０の詳細構成を示す。
【００５０】
キャリア伝送装置２０は、物理リンクＰＬ２を介してキャリア伝送装置（＃１）１０に接続され、かつＬＡＧの物理リンクＰＬ３，ＰＬ４を介してキャリア伝送装置（＃３）３０に接続され、ＬＴＭフレーム抽出部２１、ＬＴＭフレーム受信処理部２２、転送処理部２３、フォワーディングテーブル２４、出力先物理リンク特定部２５、負荷分散部２６、ＬＴＲフレーム生成部２７、多重化部２８１，２８２、及びＬＴＭフレーム生成部２９を備える。
【００５１】
このキャリア伝送装置２０においては、ＬＴＭフレーム抽出部２１が、物理リンクＰＬ２を通してキャリア伝送装置１０から受信したフレーム中のリンクトレース要求のための特別設定のマルチキャストアドレスに基づいて、ＬＴＭフレームを抽出すると、抽出したＬＴＭフレームをＬＴＭフレーム受信処理部２２に送る。
【００５２】
ＬＴＭフレーム受信処理部２２は、転送処理部２３のフォワーディングテーブル２４を参照して、受信したＬＴＭフレームの中で運ばれた対象ＭＡＣアドレスについての転送先（出力先）を検索する。ＬＴＭフレーム受信処理部２２は、この検索により、出力先がＬＡＧ経由であると判定すると、受信したＬＴＭフレームからトレース対象フレームヘッダ情報を取り出して出力先物理リンク特定部２５に送る。
【００５３】
出力先物理リンク特定部２５は、負荷分散部２６と同じアルゴリズムを用いて、トレース対象フレームヘッダ情報と同じ情報をフレーム先頭部分に含むフレームが転送されるべき１本の出力先物理リンクを特定し、特定した出力先物理リンクの情報をＬＴＲフレーム
生成部２７に送る。
【００５４】
ＬＴＲフレーム生成部２７は、ＬＴＭフレーム受信処理部２２からＬＴＭフレームを受信したことを通知され、かつ出力先物理リンク特定部２５から出力先物理リンク情報を受け取る。ＬＴＲフレーム生成部２７は、これらを契機に、出力先物理リンクの識別子（例えば、物理リンク（＃３）ＰＬ３対応の識別子）及び応答ノードＭＡＣアドレス（ここでは、キャリア伝送装置２０のＭＡＣアドレス）をペイロードに含み、ＭＡＣ宛先アドレス（ここでは、キャリア伝送装置１０のＭＡＣアドレス）及びＭＡＣ送信元アドレス（ここでは、キャリア伝送装置２０のＭＡＣアドレス）をＭＡＣヘッダに含むＬＴＲフレームを生成する。
【００５５】
生成されたＬＴＲフレームは、多重化部２８１を介して、ＬＴＭフレームの送信元であるキャリア伝送装置１０に対して物理リンクＰＬ２を通して送信（返送）される。
【００５６】
また、ＬＴＭフレーム生成部２９は、ＬＴＭフレーム受信処理部２２から受信してＭＡＣヘッダのＭＡＣ送信元アドレスをキャリア伝送装置２０のＭＡＣアドレスに書き換えたＬＴＭフレームを対象ＭＡＣアドレス対応の転送先であるＬＡＧに対して送出するために、多重化部２８２に出力する。多重化部２８２からのＬＴＭフレームは、負荷分散部２６において利用されているアルゴリズムに基づいて特定される物理リンクＰＬ３に送出される。
【００５７】
キャリア網ＮＷにおいて、キャリア伝送装置（＃２）２０の後段にそれぞれ配置される、中継ノードとしてのキャリア伝送装置（＃３）３０及び出口エッジノードとしてのキャリア伝送装置（＃４）４０は、受信したＬＴＭフレームを処理し、ＬＴＲフレームを前段ノードを介して一番最初にＬＴＭフレームを生成したノードであるキャリア伝送装置（＃１）１０に返送する機能を含むように構成すればよい。
【００５８】
上述した処理により、キャリア伝送装置（＃１）１０には、リンクトレース対象のユーザ通信フレームがキャリア伝送装置（＃２，＃３，＃４）２０，３０，４０を通して伝送されること、及びＬＡＧが構成されているキャリア伝送装置（＃２）２０とキャリア伝送装置（＃３）３０との間ではどの物理リンクを通過するかが通知される。したがって、キャリア伝送装置１０においては、サービストラフィックに障害が起こった際に、サービストラフィック対応のユーザ通信フレームの伝送経路を正確に把握することができる。
【００５９】
［第２の実施の形態］
第２の実施の形態のシステム構成例は、図５を参照して説明した第１の実施の形態のフレーム伝送システムＳＹＳと同一構成を採るものとする。
【００６０】
第２の実施の形態のフレーム伝送システムＳＹＳにおいて、特定のユーザ通信フレームに対して正確な伝送品質（ここでは、伝送遅延）監視を行うためには、遅延監視対象のユーザ通信フレーム（遅延監視対象フレーム）と、伝送遅延を測定するための監視フレーム（遅延監視フレーム）とが同じ伝送経路を通る必要がある。
【００６１】
各キャリア伝送装置は、遅延監視対象のユーザ通信フレーム及び遅延監視フレームが同じ伝送経路を通るように指定するために、図６に示すフォーマットのリンクトレース要求のＬＴＭフレームを送信の必要性に応じて生成する。生成されるＬＴＭフレームは上記ＩＴＵ−Ｔ勧告において規定されているリンクトレース要求フレームの拡張形態を採っている。
【００６２】
このＬＴＭフレームは、ＭＡＣヘッダに続くペイロード中に、対象ＭＡＣアドレスだけ
ではなく、遅延監視対象のユーザ通信フレーム（遅延監視対象フレーム）のＭＡＣヘッダ情報及び上位レイヤのヘッダ情報の双方、つまりトレース対象フレームヘッダ情報を含む。このＬＴＭフレームは、遅延監視（１ＤＭ）フレームのＭＡＣヘッダ情報及び１ＤＭ  ＰＤＵ（One-way Delay Measurement Protocol Data Unit）の双方、つまり対応する監視フレームヘッダ情報を更に含む（詳細は、図１０参照）。
【００６３】
これらの情報を含むＬＴＭフレームを受信したキャリア伝送装置（ここでは、キャリア伝送装置（＃２）２０）は、対象ＭＡＣアドレス情報とフォワーディングテーブルの内容とに基づいて、ＭＡＣヘッダに対象ＭＡＣアドレス対応のＭＡＣ宛先アドレス（ＭＡＣ  ＤＡ）を含む遅延監視対象のユーザ通信フレームがＬＡＧに対して転送されることを知り得る。
【００６４】
これにより、このキャリア伝送装置は、ＬＴＭフレームからトレース対象フレームヘッダ情報を取り出し、自装置の負荷分散部で利用されていると同じ処理手順（アルゴリズム）により、ＬＡＧから１本の出力先物理リンクを特定する。また、このキャリア伝送装置は、出力先物理リンク情報と、対応する監視フレームヘッダ情報とに基づいて、負荷分散部に新しい負荷分散ルールを追加設定し、遅延監視対象のユーザ通信フレーム及び遅延監視フレームが同じ伝送経路を通るように制御する。
【００６５】
上述したように、図６に示すＬＴＭフレームのフォーマットにおいて、対応する監視フレームヘッダ情報を含む追加部分ＡＰ２は、遅延監視対象のユーザ通信フレーム及び遅延監視フレームが同じ伝送経路を通るようにするために、追加部分ＡＰ１に加えて更に追加することが必要な追加情報である。
【００６６】
この第２の実施の形態のフレーム伝送システムＳＹＳにおいては、ユーザ装置（Ａ）５０を利用するユーザからの通信障害調査依頼に応じて、キャリア網ＮＷ内でのサービストラフィック対応のユーザ通信フレームの遅延監視を行うために、遅延監視（１ＤＭ）フレーム及び遅延監視対象のユーザ通信フレームの双方は、ＬＡＧが存在するときでも、同じ物理リンクを通るように指示される場合を考える。
【００６７】
図１１は、第２の実施の形態のフレーム伝送システムＳＹＳにおけるキャリア網ＮＷの入口エッジノード対応のキャリア伝送装置（＃１）１０の詳細構成を示す。
【００６８】
このキャリア伝送装置１０は、物理リンクＰＬ１を介してユーザ装置（Ａ）５０に接続され、かつ物理リンクＰＬ２を介してキャリア伝送装置（＃２）２０に接続され、アドレス入力部１１、ヘッダ情報入力部１７、ヘッダ情報入力部１８、ＬＴＭフレーム生成部１３、転送処理部１４、フォワーディングテーブル１５、及び多重化部１６を備える。
【００６９】
フレーム伝送システムＳＹＳに対する外部（例えば、ＯＡＭ操作者）からの指示を契機に、キャリア伝送装置１０においては、ユーザ装置（Ａ）５０からユーザ装置（Ｂ）６０に向かうサービストラフィックのキャリア網ＮＷ内での伝送遅延を調べるために、ＬＴＭフレーム生成部１３が起動される。
【００７０】
通常、ユーザ装置５０から受信し、転送処理部１４を介して転送される遅延監視対象のユーザ通信フレーム、つまり遅延監視対象フレームは、図１０に示すように、ＭＡＣヘッダにＭＡＣ宛先アドレス（ＭＡＣ  ＤＡ）及びＭＡＣ送信元アドレス（ＭＡＣ  ＳＡ）などのＭＡＣヘッダ情報を含む。ここでは、ＭＡＣ宛先アドレスには、ユーザ装置６０のＭＡＣアドレスＢが設定され、ＭＡＣ送信元アドレスには、ユーザ装置５０のＭＡＣアドレスＡが設定されている。また、遅延監視対象フレームは、ＭＡＣヘッダに続くペイロードに上位レイヤのヘッダ情報（例えば、ＩＰ（Internet Protocol）ヘッダ情報）を含む。
【００７１】
起動されたＬＴＭフレーム生成部１３は、アドレス入力部１１、ヘッダ情報入力部１７及びヘッダ情報入力部１８と協働し、図１０に示すリンクトレース要求のＬＴＭフレームを生成する。つまり、アドレス入力部１１は、ＯＡＭ操作者から入力された遅延監視対象フレーム対応のＭＡＣ宛先アドレスＢをＬＴＭフレームの対象ＭＡＣアドレスとして、ＬＴＭフレーム生成部１３に入力する。
【００７２】
また、ヘッダ情報入力部１７は、ＯＡＭ操作者から入力された遅延監視対象フレーム対応のＭＡＣヘッダ情報及び上位レイヤのヘッダ情報を含む先頭から固定長（例えば、６０バイト程度）のヘッダ情報をＬＴＭフレームのトレース対象フレームヘッダ情報として、ＬＴＭフレーム生成部１３に入力する。
【００７３】
さらに、ヘッダ情報入力部１８は、ＯＡＭ操作者から入力された遅延監視フレーム対応のＭＡＣヘッダ情報及び１ＤＭ  ＰＤＵを含む先頭から固定長（例えば、６０バイト程度）のヘッダ情報をＬＴＭフレームの対応する監視フレームヘッダ情報として、ＬＴＭフレーム生成部１３に入力する。このＭＡＣヘッダ情報は、ＭＡＣ宛先アドレス（ここでは、キャリア伝送装置（＃４）４０のＭＡＣアドレス）及びＭＡＣ送信元アドレス（ここでは、キャリア伝送装置（＃１）１０のＭＡＣアドレス）を含む。また、１ＤＭ  ＰＤＵは、伝送品質監視用データとして、フレーム送出時刻を示すタイムスタンプを含む。
【００７４】
ＬＴＭフレーム生成部１３は、アドレス入力部１１からの対象ＭＡＣアドレスと、ヘッダ情報入力部１７からのトレース対象フレームヘッダ情報と、ヘッダ情報入力部１８からの対応する監視フレームヘッダ情報とをペイロードの所定フィールドに格納し、ＭＡＣ宛先アドレス及びＭＡＣ送信元アドレスをＭＡＣヘッダに含むＬＴＭフレームを生成する。ここで、ＬＴＭフレームにおけるＭＡＣヘッダのＭＡＣ宛先アドレスはリンクトレース要求のための特別設定のマルチキャストアドレスであり、ＭＡＣ送信元アドレスはキャリア伝送装置１０のＭＡＣアドレスである。
【００７５】
ＬＴＭフレーム生成部１３は、転送処理部１４のフォワーディングテーブル１５を参照して、この対象ＭＡＣアドレス対応の出力先の物理リンクを特定し、特定した物理リンク（ここでは、物理リンクＰＬ２）にＬＴＭフレームを多重化部１６を介して送出する。多重化部１６は、ＬＴＭフレーム生成部１３からのＬＴＭフレームと、転送処理部１４からのユーザ通信フレーム及び遅延監視フレームとを多重化する。
【００７６】
キャリア伝送装置１０においては、ＬＴＭフレームの送信先（転送先）である次段ノード以降のキャリア伝送装置２０，３０，４０からリンクトレース応答のＬＴＲフレームが返送されたとき、転送処理部１４は、ユーザ装置（Ｂ）６０のＭＡＣアドレスをＭＡＣ宛先アドレスとして含むリンクトレース対象のユーザ通信フレームの伝送経路情報として、キャリア伝送装置２０，３０，４０のＭＡＣアドレス及びＬＡＧの出力物理リンク識別子を収集可能である。
【００７７】
図１２は、第２の実施の形態のフレーム伝送システムＳＹＳにおけるキャリア網ＮＷの中継ノード対応のキャリア伝送装置（＃２）２０の詳細構成を示す。
【００７８】
キャリア伝送装置２０は、物理リンクＰＬ２を介してキャリア伝送装置（＃１）１０に接続され、かつＬＡＧの物理リンクＰＬ３，ＰＬ４を介してキャリア伝送装置（＃３）３０に接続され、ＬＴＭフレーム抽出部２１、ＬＴＭフレーム受信処理部２２、転送処理部２３、フォワーディングテーブル２４、出力先物理リンク特定部２５、負荷分散部２６、ＬＴＲフレーム生成部２７、多重化部２８１，２８２、ＬＴＭフレーム生成部２９、及び負荷分散制御部３１を備える。
【００７９】
このキャリア伝送装置２０においては、ＬＴＭフレーム抽出部２１が物理リンクＰＬ２を通してキャリア伝送装置１０から受信したフレーム中のリンクトレース要求のための特別設定のマルチキャストアドレスに基づいて、ＬＴＭフレームを抽出すると、抽出したＬＴＭフレームをＬＴＭフレーム受信処理部２２に送る。
【００８０】
ＬＴＭフレーム受信処理部２２は、転送処理部２３のフォワーディングテーブル２４を参照して、受信したＬＴＭフレームの中で運ばれた対象ＭＡＣアドレスについての転送先（出力先）を検索する。ＬＴＭフレーム受信処理部２２は、この検索により、出力先がＬＡＧ経由であると判定すると、受信したＬＴＭフレームからトレース対象フレームヘッダ情報を取り出して出力先物理リンク特定部２５に送る。また、ＬＴＭフレーム受信処理部２２は、受信したＬＴＭフレームから対応する監視フレームヘッダ情報を取り出して負荷分散制御部３１に送る。
【００８１】
出力先物理リンク特定部２５は、負荷分散部２６と同じアルゴリズムを用いて、トレース対象フレームヘッダ情報と同じ情報をフレームの先頭部分に含むフレームが転送されるべき１本の出力先物理リンクを特定する。そして、出力先物理リンク特定部２５は、特定した出力先物理リンクの情報をＬＴＲフレーム生成部２７及び負荷分散制御部３１に送る。
【００８２】
負荷分散制御部３１は、ＬＴＭフレーム受信処理部２２から受け取った対応する監視フレームヘッダ情報と、出力先物理リンク特定部２５から受け取った出力先物理リンク情報とに基づいて、監視フレームヘッダ情報と同じヘッダ情報を含むフレームが出力先物理リンク情報で示される物理リンクに出力されるように、負荷分散部２６を制御する。つまり、負荷分散制御部３１は、負荷分散部２６が実施している通常の負荷分散ルールよりも高い優先度の新たな負荷分散ルールを追加するように指示する。
【００８３】
ＬＴＲフレーム生成部２７は、ＬＴＭフレーム受信処理部２２からＬＴＭフレームを受信したことを通知され、かつ出力先物理リンク特定部２５から出力先物理リンク情報を受け取る。ＬＴＲフレーム生成部２７は、これらを契機に、出力先物理リンクの識別子（例えば、物理リンク（＃３）ＰＬ３対応の識別子）及び応答ノードＭＡＣアドレス（ここでは、キャリア伝送装置２０のＭＡＣアドレス）をペイロードに含み、ＭＡＣ宛先アドレス（ここでは、キャリア伝送装置１０のＭＡＣアドレス）及びＭＡＣ送信元アドレス（ここでは、キャリア伝送装置２０のＭＡＣアドレス）をＭＡＣヘッダに含むＬＴＲフレームを生成する。
【００８４】
生成されたＬＴＲフレームは、多重化部２８１を介して、ＬＴＭフレームの送出元であるキャリア伝送装置１０に対して物理リンクＰＬ２を通して送信（返送）される。
【００８５】
また、ＬＴＭフレーム生成部２９は、ＬＴＭフレーム受信処理部２２から受信してＭＡＣヘッダのＭＡＣ送信元アドレスをキャリア伝送装置２０のＭＡＣアドレスに書き換えたＬＴＭフレームを対象ＭＡＣアドレス対応の転送先であるＬＡＧに対して送出するために、多重化部２８２に出力する。多重化部２８２からのＬＴＭフレームは、負荷分散部２６において利用されているアルゴリズムに基づいて特定される物理リンクＰＬ３に送出される。
【００８６】
キャリア網ＮＷにおいて、キャリア伝送装置（＃２）２０の後段にそれぞれ配置される、中継ノードとしてのキャリア伝送装置（＃３）３０及び出口エッジノードとしてのキャリア伝送装置（＃４）４０は、受信したＬＴＭフレームを処理し、ＬＴＲフレームを前段ノードを介して一番最初にＬＴＭフレームを生成したノードであるキャリア伝送装置（＃
１）１０に返送する機能を含むように構成すればよい。
【００８７】
上述した処理により、キャリア伝送装置（＃１）１０には、トレース対象フレームがキャリア伝送装置（＃２，＃３，＃４）２０，３０，４０を通して伝送されること、及びＬＡＧが構成されているキャリア伝送装置（＃２）２０とキャリア伝送装置（＃３）３０との間ではどの物理リンクを通過するかが通知される。
【００８８】
図１３は、図１２に示すキャリア伝送装置（＃２）２０において新たな負荷分散ルールが追加される様子の例を示している。
【００８９】
負荷分散部２６は、ＬＴＭフレームが受信されるまでは、ユーザ通信フレームのヘッダ情報をハッシュ計算し、例えば、結果として得られるハッシュ値が１であるときは、ＬＡＧの物理リンク（＃３）ＰＬ３へ出力し、ハッシュ値が２であるときは、ＬＡＧの物理リンク（＃４）ＰＬ４へ出力することにより、負荷を２本の物理リンクＰＬ３，ＰＬ４に分散している。
【００９０】
このような状態で、出力先物理リンク特定部２５がＬＴＭフレームのトレース対象フレームヘッダ情報の中で運ばれてきたヘッダ情報から出力先物理リンクを特定した結果が、物理リンク（＃３）ＰＬ３であったと仮定する。
【００９１】
この場合、対応する遅延監視フレームは、同様に物理リンク（＃３）ＰＬ３に出力されるべきであるので、負荷分散制御部３１は、ＬＴＭフレームの対応する監視フレームヘッダ情報を含む遅延監視フレームが物理リンク（＃３）ＰＬ３に出力されるような新たな負荷分散ルールを追加設定するように、負荷分散部２６に指示する。つまり、負荷分散制御部３１は、負荷分散部２６が実施している通常の優先度（中）の負荷分散ルールよりも高い優先度（高）の新たな負荷分散ルールを追加するように指示する。
【００９２】
このような負荷分散ルールを採ることにより、遅延などの伝送品質を監視したいサービストラフィックのユーザ通信フレームと、遅延などの伝送品質を監視するための監視フレームとが、ＬＡＧの同じ物理リンクを通過するように制御できる。
【００９３】
［変形例］
上述した各実施の形態における処理はコンピュータで実行可能なプログラムとして提供され、ＣＤ−ＲＯＭやフレキシブルディスクなどの非一時的コンピュータ可読記憶媒体、さらには通信回線を経て提供可能である。
【００９４】
また、上述した各実施の形態における各処理はその任意の複数または全てを選択し組合せて実施することもできる。
【００９５】
［その他］
上述した各実施の形態及び変形例に関し、更に以下の付記を開示する。
【００９６】
（付記１）
ネットワーク上の複数のフレーム伝送装置を通してユーザＭＡＣフレームを伝送するフレーム伝送システムであって；
伝送経路を検知したいユーザＭＡＣフレーム中のＭＡＣ宛先アドレスをターゲットＭＡＣアドレスとして含むとともに、前記ユーザＭＡＣフレーム中のＭＡＣヘッダ情報及び上位レイヤのヘッダ情報の双方をターゲットフレームヘッダ情報として含む要求フレームを生成して送信する第１のフレーム伝送装置と；
受信した前記要求フレーム中の前記ターゲットＭＡＣアドレスに関する出力先が複数の
物理リンクを含むリンクアグリゲーショングループを構成しているときには、前記要求フレームから取得される前記ターゲットフレームヘッダ情報に基づいて、１つの出力先物理リンクを特定する特定部と、
特定された前記出力先物理リンクに関する情報と、応答ノードＭＡＣアドレスとしての自装置のＭＡＣアドレスとを含む応答フレームを要求ノードとしての前記第１のフレーム伝送装置に返送するために生成する生成部と、を含む第２のフレーム伝送装置と；
を備えるフレーム伝送システム。
【００９７】
（付記２）
伝送経路を検知したいユーザＭＡＣフレーム中のＭＡＣ宛先アドレスをターゲットＭＡＣアドレスとして含むとともに、前記ユーザＭＡＣフレーム中のＭＡＣヘッダ情報及び上位レイヤのヘッダ情報の双方をターゲットフレームヘッダ情報として含む要求フレームを受信する受信部と；
受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と；
特定された前記出力先物理リンクに関する情報と、応答ノードＭＡＣアドレスとしての自装置のＭＡＣアドレスとを含む応答フレームを要求ノードに返送するために生成する生成部と；
を備えるフレーム伝送装置。
【００９８】
（付記３）
ネットワーク上の複数のフレーム伝送装置を通してユーザＭＡＣフレーム及び伝送品質監視フレームを伝送するフレーム伝送システムであって；
伝送品質を監視したいユーザＭＡＣフレーム中のＭＡＣ宛先アドレスをターゲットＭＡＣアドレスとして含み、前記ユーザＭＡＣフレーム中のＭＡＣヘッダ情報及び上位レイヤのヘッダ情報の双方をターゲットフレームヘッダ情報として含むとともに、前記ユーザＭＡＣフレームの伝送品質を監視するために利用される伝送品質監視フレーム中のＭＡＣヘッダ情報及び伝送品質監視用データを監視フレームヘッダ情報として含む要求フレームを生成して送信する第１のフレーム伝送装置と；
受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と、
特定された前記出力先物理リンクに関する情報及び前記監視フレームヘッダ情報に基づいて、前記ユーザＭＡＣフレーム及び前記伝送品質監視フレームの双方を前記出力先物理リンクに対応する同一物理リンクに出力するための負荷分散ルールを送信部に追加設定する制御部と、
特定された前記出力先物理リンクに関する情報と、応答ノードＭＡＣアドレスとしての自装置のＭＡＣアドレスとを含む応答フレームを要求ノードとしての前記第１のフレーム伝送装置に返送するために生成する生成部と、を含む第２のフレーム伝送装置と；
を備えるフレーム伝送システム。
【００９９】
（付記４）
伝送品質を監視したいユーザＭＡＣフレーム中のＭＡＣ宛先アドレスをターゲットＭＡＣアドレスとして含み、前記ユーザＭＡＣフレーム中のＭＡＣヘッダ情報及び上位レイヤのヘッダ情報の双方をターゲットフレームヘッダ情報として含むとともに、前記ユーザＭＡＣフレームの伝送品質を監視するために利用される伝送品質監視フレーム中のＭＡＣヘッダ情報及び伝送品質監視用データを監視フレームヘッダ情報として含む要求フレームを
受信する受信部と；
受信した前記要求フレーム中の前記ターゲットＭＡＣアドレスに関する出力先が複数の物理リンクを含むリンクアグリゲーショングループを構成しているときには、前記要求フレームから取得される前記ターゲットフレームヘッダ情報に基づいて、１つの出力先物理リンクを特定する特定部と；
特定された前記出力先物理リンクに関する情報及び前記監視フレームヘッダ情報に基づいて、前記ユーザＭＡＣフレーム及び前記伝送品質監視フレームの双方を前記出力先物理リンクに対応する同一物理リンクに出力するための負荷分散ルールを送信部に追加設定する制御部と；
特定された前記出力先物理リンクに関する情報と、応答ノードＭＡＣアドレスとしての自装置のＭＡＣアドレスとを含む応答フレームを要求ノードに返送するために生成する生成部と；
を備えるフレーム伝送装置。
【０１００】
（付記５）
前記第２のフレーム伝送装置は、前記特定部と同一アルゴリズムにより前記出力先物理リンクと同一の物理リンクを選択し、前記ユーザＭＡＣフレーム及び前記要求フレームを送出する送信部を更に備える
付記１記載のフレーム伝送システム。
【０１０１】
（付記６）
前記送信部は、前記特定部と同一アルゴリズムにより前記出力先物理リンクと同一の物理リンクを選択し、前記ユーザＭＡＣフレーム、前記伝送品質監視フレーム及び前記要求フレームを送出する
付記３記載のフレーム伝送システム。
【０１０２】
（付記７）
前記要求フレームのＭＡＣヘッダのＭＡＣ宛先アドレスには、予め定められたマルチキャストアドレスが固定的に設定される
付記１または３記載のフレーム伝送システム。
【０１０３】
（付記８）
前記要求フレームのＭＡＣヘッダのＭＡＣ送信元アドレスは、前記第１のフレーム伝送装置のＭＡＣアドレスから前記第２のフレーム伝送装置のＭＡＣアドレスに書き換えられる
付記１または３記載のフレーム伝送システム。
【０１０４】
（付記９）
前記要求フレーム及び前記応答フレームは、ＩＴＵ−Ｔ勧告において規定されているリンクトレース要求フレーム及びリンクトレース応答フレームの拡張形態を採っている
付記１または３記載のフレーム伝送システム。
【０１０５】
（付記１０）
前記ネットワークはイーサネット網であり、前記第１及び第２のフレーム伝送装置はレイヤ２スイッチである
付記１または３記載のフレーム伝送システム。
【符号の説明】
【０１０６】
ＳＹＳ  フレーム伝送システム
１０    キャリア伝送装置（＃１）
２０    キャリア伝送装置（＃２）
３０    キャリア伝送装置（＃３）
４０    キャリア伝送装置（＃４）
５０    ユーザ装置（Ａ）
６０    ユーザ装置（Ｂ）
ＬＡＧ  リンクアグリゲーショングループ
【図１】
0005849843.tif 000002
【図２】
0005849843.tif 000003
【図３】
0005849843.tif 000004
【図４】
0005849843.tif 000005
【図５】
0005849843.tif 000006
【図６】
0005849843.tif 000007
【図７】
0005849843.tif 000008
【図８】
0005849843.tif 000009
【図９】
0005849843.tif 000010
【図１０】
0005849843.tif 000011
【図１１】
0005849843.tif 000012
【図１２】
0005849843.tif 000013
【図１３】
0005849843.tif 000014